(57)【特許請求の範囲】
【請求項１】
プリンターの筐体本体に設けられた第１開口部に開閉可能に取付られた第１の扉と、この第１の扉に設けられた第２開口部に開閉可能に配設された第２の扉を有し、第１の扉を開いたときに第２の扉も第１の扉と同じ方向に一体に開くようにしたプリンターの筐体における扉の開閉機構において、
前記第１の扉の開閉支点を前記筐体本体の第１開口部の縁部近傍箇所に設け、前記第１の扉の開閉支点の設置箇所よりも第１開口部の縁部から遠ざかった箇所に、前記第１の扉の開閉支点と軸方向が同一である前記第２の扉の開閉支点を設けると共に、前記第１の扉の裏面には、第１の扉を閉じたときに、第２の扉の前記開閉支点を形成して前記第１開口部に設けられている軸部が嵌まり込む長溝を設けてあり、
前記第１の扉側に前記第２開口部内に突出した第１フックを設ける一方、前記第１の扉を開けたときに、前記第１フックが係入して前記第２の扉を一体に開けるための第２フックを前記第２の扉の内面側に設け、前記第１の扉は、プリンターの筐体本体内に配設されたインクカートリッジの交換や紙ずまりのときにおける紙を取り出すとき等に開けられるものであり、前記第２の扉はプリントする写真等のデータが入力されているカードを挿入孔に挿入するとき等に開けられるものであることを特徴とするプリンターの筐体における扉の開閉機構。
【発明の詳細な説明】
【０００１】
【発明の属する技術分野】
プリンターの筐体本体に設けられた第１開口部に開閉可能に取付られた第１の扉と、この第１の扉に設けられた第２開口部に開閉機構に配設された第２の扉を有し、第１の扉を開いたときに第２の扉も第１の扉と同じ方向に一体に開くようにしたプリンターの筐体における扉の開閉機構に関する。
【０００２】
【従来の技術】
従来のこの種のプリンターの筐体における扉の開閉機構として、例えば、図２（ａ）（ｂ）に示すものがある。これは、第１の扉１０１と第２の扉１０２のいずれか一方に凸部１０３を設け、いずれか他方に凹部１０４を設けて、凸部１０３を凹部１０４に押し込んで第１の扉１０１と第２の扉１０２を一体化して、第１の扉１０１を開けるときに第２の扉１０２を一体に開けるようにしている。
【０００３】
ところが、凸部１０３を凹部１０４に押し込む機構では、扉の開閉の繰り返しで傷が付きやすく、嵌合の微妙な調整が必要で安定しないという問題があった。更に、第２の扉１０２を開けたときに、第１の扉１０１がその凸部１０３と凹部１０４が嵌合したままで開いてしまう場合があるという問題があった。また、引っ掛けや板バネ等の別パーツを取り付けた構造のものもあるが、このように別パーツを取り付けたものは、コストアップとなるという問題があった。
【０００４】
また、実開平１０−３２２０４２号公報には、筐体の扉構造が記載されている。これは、図３（ａ）（ｂ）（ｃ）（ｄ）に示すように、筐体本体２１０の前面部の中央上下に配設されたヒンジ２０１に筐体本体２１０の正面から見て左右にそれぞれ扉２１１、２１２が取り付けられ、このヒンジ２０１は扉２１１、２１２を回転させるときの軸２０３、２０６、２０８を個々の扉２１１、２１２に対して２つ持っているものである。ところが、これにおいては、個々の扉２１１、２１２は別々に開き、一体に開くものには適用できないものであった。
【０００５】
【発明が解決しようとする課題】
本発明は、上記従来の問題を解消し、低コストで制作できて、第１の扉と第２の扉の開閉時の開閉感を安定させることができ、第２の扉を確実に開閉することができるとともに、第１の扉を開けるときに第２の扉を第１の扉と同じ方向に一体に確実に開けることができるプリンターの筐体における扉の開閉機構を提供することを目的としている。
【０００６】
【課題を解決するための手段】
本発明は、上記課題を解決するために、プリンターの筐体本体に設けられた第１開口部に開閉可能に取付られた第１の扉と、この第１の扉に設けられた第２開口部に開閉可能に配設された第２の扉を有し、第１の扉を開いたときに第２の扉も第１の扉と同じ方向に一体に開くようにしたプリンターの筐体における扉の開閉機構において、前記第１の扉の開閉支点を前記筐体本体の第１開口部の縁部近傍箇所に設け、前記第１の扉の開閉支点の設置箇所よりも第１開口部の縁部から遠ざかった箇所に、前記第１の扉の開閉支点と軸方向が同一である前記第２の扉の開閉支点を設けると共に、前記第１の扉の裏面には、第１の扉を閉じたときに、第２の扉の前記開閉支点を形成して前記第１開口部に設けられている軸部が嵌まり込む長溝を設けてあり、前記第１の扉側に前記第２開口部内に突出した第１フックを設ける一方、前記第１の扉を開けたときに、前記第１フックが係入して前記第２の扉を一体に開けるための第２フックを前記第２の扉の内面側に設け、前記第１の扉は、プリンターの筐体本体内に配設されたインクカートリッジの交換や紙ずまりのときにおける紙を取り出すとき等に開けられるものであり、前記第２の扉はプリントする写真等のデータが入力されているカードを挿入孔に挿入するとき等に開けられるものである。
【０００７】
【発明の実施の形態】
以下、本発明に係るプリンターの筐体における扉の開閉機構の実施の形態について、図を参照しつつ説明する。図１は本発明の実施形態のプリンターの筐体における扉の開閉機構を示し、（ａ）はその扉を閉めた状態の断面図、（ｂ）はその第１の扉と第２の扉とを一体に開けた状態の要部の断面図、（ｃ）はその正面図である。
【０００８】
本実施形態のプリンターの筐体における扉の開閉機構は、図１（ａ）（ｂ）に示すように、プリンターの筐体本体１に設けられた第１開口部２に開閉可能に取付られた第１の扉３と、この第１の扉３に設けられた第２開口部４に開閉可能に配設された第２の扉５を有するものである。そして、第１の扉３の開閉支点３１を筐体本体１の第１開口部２の縁部近傍箇所に設け、前記第１の扉の開閉支点の設置箇所よりも第１開口部の縁部から遠ざかった箇所に、前記第１の扉の開閉支点と軸方向が同一である前記第２の扉の開閉支点を設けてある。第２の扉の前記開閉支点を形成している軸部は、筐体本体１の第１開口部に設けられている。また、第１の扉３側に第２開口部４内に突出したピン形状の第１フック６を設ける一方、第１の扉３を開けたときに、第１フック６が係入して第２の扉５を一体に開けるためのＬ字形の第２フック７を第２の扉５の内面側に設けている。尚、第２の扉５には、開閉支点５１である軸部が扉５の長手方向に移動できるように長孔５ａが穿設されている。
【０００９】
ここで、第１の扉３は、プリンターの筐体本体１内に配設されたインクカートリッジ８の交換や紙ずまりのときにおける紙を取り出すとき等に開けられるものであり、第２の扉５はプリントする写真等のデータが入力されているメモリカードをメモリカード挿入孔９、９に挿入するとき等に開けられるものである。
【００１０】
上記構成により、第２の扉５を開けるときには、第２の扉５だけを開けることができ、第１の扉３を開けたときには、開く途中で第１の扉のピン形状の第１フック６が第２の扉５のＬ字形の第２フック７に係入し、この状態で第１の扉３と第２の扉５が一体に開けられることとなる。従って、簡単な構造であるので、低コストで制作することができ、第１の扉３と第２の扉５の開閉時の開閉感を安定させることができ、第２の扉５を確実に開閉することができるとともに、第１の扉３を開けるときに第２の扉５を一体に確実に開けることができる利点がある。
【００１１】
尚、第２の扉５の開閉支点５１である軸部は、第１の扉３の裏面に設けられた一条の長溝３２に嵌まり込むようになっており、これにより、第２の扉５を開けるときに、第２の扉５だけを開けられるようになっている。また、図１（ａ）（ｃ）において、符号１０はインクカートリッジ８を搭載して用紙の幅方向に往復移動するキャリッジ、符号１１はこのキャリッジ１０の往復移動をガイドするためのシャフト、符号１２はプーリーベルトを示している。
【００１２】
【発明の効果】
以上説明したように、本発明は、プリンターの筐体本体に設けられた第１開口部に開閉可能に取付られた第１の扉と、この第１の扉に設けられた第２開口部に開閉機構に配設された第２の扉を有し、第１の扉を開いたときに第２の扉も第１の扉と同じ方向に一体に開くようにし、前記第１の扉の開閉支点を前記筐体本体の第１開口部の縁部近傍箇所に設け、前記第１の扉の開閉支点の設置箇所よりも第１開口部の縁部から遠ざかった箇所に、前記第１の扉の開閉支点と軸方向が同一である前記第２の扉の開閉支点を設けると共に、前記第１の扉の裏面には、第１の扉を閉じたときに、第２の扉の前記開閉支点を形成して前記第１開口部に設けられている軸部が嵌まり込む長溝を設けてあり、前記第１の扉側に前記第２開口部内に突出した第１フックを設ける一方、前記第１の扉を開けたときに、前記第１フックが係入して前記第２の扉を一体に開けるための第２フックを前記第２の扉の内面側に設け、前記第１の扉は、プリンターの筐体本体内に配設されたインクカートリッジの交換や紙ずまりのときにおける紙を取り出すとき等に開けられるものであり、前記第２の扉はプリントする写真等のデータが入力されているカードを挿入孔に挿入するとき等に開けられるものであるから、以下に述べる効果を奏する。
【００１３】
即ち、第１の扉の第１フックと第２の扉の第２フックとを係入可能に設けた構造なので、その構造が簡単で低コストで制作することができ、第１の扉と第２の扉の開閉時の開閉感を安定させることができ、第２の扉を確実に開閉することができるとともに、第１の扉を開けるときに第２の扉を一体に確実に開けることができる。しかも、カードを挿入するときには、第２の扉を開けるだけでよく、またインクカートリッジの交換等のメンテナンス時には、第１の扉を開けると一体に第２の扉が開かれるので、メンテナンスの作業が行い易い。
【図面の簡単な説明】
【図１】  本発明の実施形態のプリンターの筐体における扉の開閉機構を示し、（ａ）はその扉を閉めた状態の断面図、（ｂ）はその第１の扉と第２の扉とを一体に開けた状態の要部の断面図、（ｃ）はその正面図である。
【図２】  従来のプリンターの筐体における扉の開閉機構を示し、（ａ）はその第１の扉と第２の扉を一体に開ける途中の状態の断面図、（ｂ）はその正面図、（ｃ）はその第１の扉と第２の扉を別々に開けた状態の断面図である。
【図３】  従来の筐体の扉構造を示し、（ａ）はその正面図、（ｂ）はその斜視図、（ｃ）はその各扉を閉めた状態の平面図、（ｄ）はその一方の扉を開けた状態の平面図である。
【符号の説明】
１  プリンターの筐体本体
２  第１開口部
３  第１の扉
３１  開閉支点
４  第２開口部
５  第２の扉
５１  開閉支点
６  第１フック
７  第２フック
８  インクカートリッジ
９  メモリカード挿入孔
【図１】
0004337210.tif 000002
【図２】
0004337210.tif 000003
【図３】
0004337210.tif 000004